(57)【要約】【課題】使用する人物の接近及び離脱をより確実に検出すること。【解決手段】電子機器は、システム処理を実行する処理部と、所定の検出範囲内に存在する物体を検出する検出部と、検出部により所定の範囲内に物体が検出された場合、処理部の動作を活性化させる動作制御部と、システム処理の動作状態に応じて、所定の検出範囲を設定する検出範囲制御部と、を備える。【選択図】図６
2020102154.tif 000002
【特許請求の範囲】
【請求項１】
システム処理を実行する処理部と、
所定の検出範囲内に存在する物体を検出する検出部と、
前記検出部により前記所定の範囲内に前記物体が検出された場合、前記処理部の動作を活性化させる動作制御部と、
前記システム処理の動作状態に応じて、前記所定の検出範囲を設定する検出範囲制御部と、
を備える電子機器。
【請求項２】
前記検出範囲制御部は、
前記システム処理の動作状態が第１動作状態である場合には前記所定の検出範囲を第１検出範囲に設定し、前記第１動作状態よりも前記システム処理の少なくとも一部が制限された第２動作状態である場合には前記所定の検出範囲を前記第１検出範囲より狭い第２検出範囲に設定する、
請求項１に記載の電子機器。
【請求項３】
システム処理を実行する処理部と、
所定の検出範囲内に存在する物体を検出する検出部と、
前記検出部により前記所定の範囲内に前記物体が検出された場合、前記処理部の動作を活性化させる動作制御部と、
前記検出部による前記物体の検出状態に応じて、前記所定の検出範囲を設定する検出範囲制御部と、
を備える電子機器。
【請求項４】
前記検出範囲制御部は、
前記検出部による検出状態が前記物体が検出されている状態である場合には前記所定の検出範囲を第１検出範囲に設定し、前記検出部による検出状態が前記物体が検出されていない状態である場合には前記所定の検出範囲を前記第１検出範囲より狭い第２検出範囲に設定する、
請求項３に記載の電子機器。
【請求項５】
前記検出範囲制御部は、
前記第１検出範囲より前記第２検出範囲の方が、検出する視野角が狭くなるように制御する、
請求項２または請求項４に記載の電子機器。
【請求項６】
前記検出範囲制御部は、
前記第１検出範囲より前記第２検出範囲の方が、検出する距離が短くなるように制御する、
請求項２、請求項４、または請求項５に記載の電子機器。
【請求項７】
システム処理を実行する処理部を備えた電子機器における制御方法であって、
検出部が、所定の検出範囲内に存在する物体を検出するステップと、
動作制御部が、前記所定の範囲内に前記物体が検出された場合、前記処理部の動作を活性化させるステップと、
検出範囲制御部が、前記システム処理の動作状態に応じて、前記所定の検出範囲を設定するステップと、
を有する制御方法。
【請求項８】
システム処理を実行する処理部を備えた電子機器における制御方法であって、
検出部が、所定の検出範囲内に存在する物体を検出するステップと、
動作制御部が、前記所定の範囲内に前記物体が検出された場合、前記処理部の動作を活性化させるステップと、
検出範囲制御部が、前記検出部による前記物体の検出状態に応じて、前記所定の検出範囲を設定するステップと、
を有する制御方法。
【請求項９】
システム処理を実行する処理部を備えた電子機器としてのコンピュータに、
所定の検出範囲内に存在する物体を検出するステップと、
前記所定の範囲内に前記物体が検出された場合、前記処理部の動作を活性化させるステップと、
前記システム処理の動作状態に応じて、前記所定の検出範囲を設定するステップと、
を実行させるためのプログラム。
【請求項１０】
システム処理を実行する処理部を備えた電子機器としてのコンピュータに、
所定の検出範囲内に存在する物体を検出するステップと、
前記所定の範囲内に前記物体が検出された場合、前記処理部の動作を活性化させるステップと、
前記物体の検出状態に応じて、前記所定の検出範囲を設定するステップと、
を実行させるためのプログラム。
【発明の詳細な説明】
【技術分野】
【０００１】
本発明は、電子機器、制御方法、及びプログラムに関する。
【背景技術】
【０００２】
ＰＣ（Ｐｅｒｓｏｎａｌ  Ｃｏｍｐｕｔｅｒ；パーソナルコンピュータ）などの電子機器は、人物の接近を検出する近接センサ（ＰＳ：Ｐｒｏｘｉｍｉｔｙ  Ｓｅｎｓｏｒ）を備え、人物の接近を検出した場合に起動するものがある。近接センサとして、例えば、赤外線（ＩＲ：Ｉｎｆｒａｒｅｄ）センサが用いられる。このような電子機器では、ユーザは、電子機器に接触することなく接近するだけで起動させることができる。例えば、特許文献１には、近づいてきた人物を検知したことに応じて操作画面を表示する端末処理装置について記載されている。
【先行技術文献】
【特許文献】
【０００３】
【特許文献１】特開２００３−２５５９２２号公報
【発明の概要】
【発明が解決しようとする課題】
【０００４】
しかしながら、電子機器に接近する人物には、電子機器を使用する人物だけではなく、その電子機器の前を単に横切る人物も含まれうる。そのため、上述したように人物の接近を検出して起動する電子機器は、使用する人物以外の人物が前を単に横切ったときにも不必要に起動してしまう場合がある。一方、使用していた人物が電子機器から離れるときには、セキュリティの観点や消費電力の観点から、電子機器の表示をＯＦＦにして待機状態に遷移することが望ましい。しかしながら、電子機器を使用している人物は、常に電子機器の正面近傍にきちんと留まっているとは限らず、体勢が自由に動きがちである。そのため、電子機器からの人物の離脱を検出する際には、電子機器を使用しているにも関わらず、体勢が変化すること等によって人物が離脱したと誤検出してしまう可能性がある。
【０００５】
本発明は、上記した事情に鑑みてなされたもので、使用する人物の接近及び離脱をより確実に検出する電子機器、制御方法、及びプログラムを提供することを目的の一つとする。
【課題を解決するための手段】
【０００６】
本発明は上記の課題を解決するためになされたものであり、本発明の第１態様に係る電子機器は、システム処理を実行する処理部と、所定の検出範囲内に存在する物体を検出する検出部と、前記検出部により前記所定の範囲内に前記物体が検出された場合、前記処理部の動作を活性化させる動作制御部と、前記システム処理の動作状態に応じて、前記所定の検出範囲を設定する検出範囲制御部と、を備える。
【０００７】
上記電子機器において、前記検出範囲制御部は、前記システム処理の動作状態が第１動作状態である場合には前記所定の検出範囲を第１検出範囲に設定し、前記第１動作状態よりも前記システム処理の少なくとも一部が制限された第２動作状態である場合には前記所定の検出範囲を前記第１検出範囲より狭い第２検出範囲に設定してもよい。
【０００８】
また、本発明の第２態様に係る電子機器は、システム処理を実行する処理部と、所定の検出範囲内に存在する物体を検出する検出部と、前記検出部により前記所定の範囲内に前記物体が検出された場合、前記処理部の動作を活性化させる動作制御部と、前記検出部による前記物体の検出状態に応じて、前記所定の検出範囲を設定する検出範囲制御部と、を備える。
【０００９】
上記電子機器において、前記検出範囲制御部は、前記検出部による検出状態が前記物体が検出されている状態である場合には前記所定の検出範囲を第１検出範囲に設定し、前記検出部による検出状態が前記物体が検出されていない状態である場合には前記所定の検出範囲を前記第１検出範囲より狭い第２検出範囲に設定してもよい。
【００１０】
上記電子機器において、前記検出範囲制御部は、前記第１検出範囲より前記第２検出範囲の方が、検出する視野角が狭くなるように制御してもよい。
【００１１】
上記電子機器において、前記検出範囲制御部は、前記第１検出範囲より前記第２検出範囲の方が、検出する距離が短くなるように制御してもよい。
【００１２】
また、本発明の第３態様に係るシステム処理を実行する処理部を備えた電子機器における制御方法は、検出部が、所定の検出範囲内に存在する物体を検出するステップと、動作制御部が、前記所定の範囲内に前記物体が検出された場合、前記処理部の動作を活性化させるステップと、検出範囲制御部が、前記システム処理の動作状態に応じて、前記所定の検出範囲を設定するステップと、を有する。
【００１３】
また、本発明の第４態様に係るシステム処理を実行する処理部を備えた電子機器における制御方法は、検出部が、所定の検出範囲内に存在する物体を検出するステップと、動作制御部が、前記所定の範囲内に前記物体が検出された場合、前記処理部の動作を活性化させるステップと、検出範囲制御部が、前記検出部による前記物体の検出状態に応じて、前記所定の検出範囲を設定するステップと、を有する。
【００１４】
また、本発明の第５態様に係るプログラムは、システム処理を実行する処理部を備えた電子機器としてのコンピュータに、所定の検出範囲内に存在する物体を検出するステップと、前記所定の範囲内に前記物体が検出された場合、前記処理部の動作を活性化させるステップと、前記システム処理の動作状態に応じて、前記所定の検出範囲を設定するステップと、を実行させる。
【００１５】
また、本発明の第６態様に係るプログラムは、システム処理を実行する処理部を備えた電子機器としてのコンピュータに、所定の検出範囲内に存在する物体を検出するステップと、前記所定の範囲内に前記物体が検出された場合、前記処理部の動作を活性化させるステップと、前記物体の検出状態に応じて、前記所定の検出範囲を設定するステップと、を実行させる。
【発明の効果】
【００１６】
本発明の上記態様によれば、使用する人物の接近及び離脱をより確実に検出することができる。
【図面の簡単な説明】
【００１７】
【図１】第１の実施形態に係る電子機器の概要を説明する図。
【図２】第１の実施形態に係る電子機器１の外観の構成例を示す斜視図。
【図３】センサ検出範囲の設定データの一例を示す図。
【図４】離脱検出モード時のセンサ検出範囲を示す図。
【図５】接近検出モード時のセンサ検出範囲を示す図。
【図６】第１の実施形態に係る電子機器のハードウェア構成例を示す概略ブロック図。
【図７】第１の実施形態に係る起動制御の一例を示すフローチャート。
【図８】第１の実施形態に係る待機状態遷移処理の一例を示すフローチャート。
【図９】第１の実施形態に係るセンサ検出範囲制御処理の一例を示すフローチャート。
【図１０】第２の実施形態に係るセンサ検出範囲制御処理の一例を示すフローチャート。
【発明を実施するための形態】
【００１８】
＜第１の実施形態＞
まず、本発明の第１の実施形態に係る電子機器１について、図面を参照して説明する。本実施形態に係る電子機器１は、例えば、ノートブック型ＰＣ（Ｐｅｒｓｏｎａｌ  Ｃｏｍｐｕｔｅｒ；パーソナルコンピュータ）などの情報処理装置である。なお、電子機器１は、デスクトップ型ＰＣ、タブレット端末装置、スマートフォンなど、いずれの形態の情報処理装置であってもよい。
【００１９】
電子機器１は、システムの動作状態として少なくとも通常動作状態（パワーオン状態）と待機状態との間を遷移可能である。通常動作状態とは、特に制限なく処理の実行が可能な動作状態であり、例えば、ＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ）で規定されているＳ０状態に相当する。待機状態は、システム処理の少なくとも一部が制限されている状態である。例えば、待機状態は、少なくとも表示部の表示がＯＦＦとなる状態であり、通常動作状態よりも電力の消費量が低い動作状態である。待機状態は、スタンバイ状態、スリープ状態等であってもよく、Ｗｉｎｄｏｗｓ（登録商標）におけるモダンスタンバイや、ＡＣＰＩで規定されているＳ３状態（スリープ状態）等に相当する状態であってもよい。また、待機状態には、ハイバネーション状態やパワーオフ状態等が含まれでもよい。ハイバネーション状態は、例えば、ＡＣＰＩで規定されているＳ４状態に相当する。パワーオフ状態は、例えば、ＡＣＰＩで規定されているＳ５状態（シャットダウンした状態）相当する。
【００２０】
以下では、システムの動作状態が待機状態から通常動作状態へ遷移することを起動と呼ぶことがある。待機状態では、一般的に通常動作状態よりも動作の活性度が低いため、電子機器１のシステム処理を起動させることは、電子機器１におけるシステム処理の動作を活性化させることになる。
【００２１】
図１は、本実施形態に係る電子機器１の概要を説明する図である。電子機器１は、後述する近接センサを備えており、電子機器１の近傍に存在する人物を検出する。この人物の存在を検出する処理のことを、ＨＰＤ（Ｈｕｍａｎ  Ｐｒｅｓｅｎｃｅ  Ｄｅｔｅｃｔｉｏｎ）処理とも呼ぶことがある。電子機器１は、電子機器１の近傍に存在する人物を検出し、検出結果に基づいて電子機器１の動作状態を制御する。例えば、電子機器１は、図１（Ａ）に示すように、電子機器１へ人物が接近したこと（Ａｐｐｒｏａｃｈ）を検出した場合、自動でシステム処理を起動する。また、電子機器１は、図１（Ｂ）に示すように、人物が電子機器１の前に存在している状態（Ｐｒｅｓｅｎｃｅ）では、システム処理を待機状態へ遷移させないように制限し、通常動作状態を継続させる。そして、電子機器１は、図１（Ｃ）に示すように、電子機器１から人物が離脱したこと（Ｌｅａｖｅ）を検出した場合には、システム処理を待機状態へ遷移させる。
【００２２】
（電子機器の外観構成）
図２は、本実施形態に係る電子機器１の外観の構成例を示す斜視図である。
電子機器１は、第１筐体１０、第２筐体２０、及びヒンジ機構１５を備える。第１筐体１０と第２筐体２０は、ヒンジ機構１５を用いて結合されている。第１筐体１０は、第２筐体２０に対して、ヒンジ機構１５がなす回転軸の周りに相対的に回動可能である。回転軸の方向は、ヒンジ機構１５が設置されている側面１０ｃ、２０ｃに対して平行である。
【００２３】
第１筐体１０は、Ａカバー、ディスプレイ筐体とも呼ばれる。第２筐体２０は、Ｃカバー、システム筐体とも呼ばれる。以下の説明では、第１筐体１０と第２筐体２０の側面のうち、ヒンジ機構１５が備わる面を、それぞれ側面１０ｃ、２０ｃと呼ぶ。第１筐体１０と第２筐体２０の側面のうち、側面１０ｃ、２０ｃとは反対側の面を、それぞれ側面１０ａ、２０ａと呼ぶ。図示において、側面２０ａから側面２０ｃに向かう方向を「後」と呼び、側面２０ｃから側面２０ａに向かう方向を「前」と呼ぶ。後方に対して右方、左方を、それぞれ「右」、「左」と呼ぶ。第１筐体１０、第２筐体２０の左側面をそれぞれ側面１０ｂ、２０ｂと呼び、右側面をそれぞれ側面１０ｄ、２０ｄと呼ぶ。また、第１筐体１０と第２筐体２０とが重なり合って完全に閉じた状態（開き角θ＝０°の状態）を「閉状態」と呼ぶ。閉状態において第１筐体１０と第２筐体２０との互いに対面する側の面を、それぞれの「内面」と呼び、内面に対して反対側の面を「外面」と呼ぶ。また、閉状態に対して第１筐体１０と第２筐体２０とが開いた状態のことを「開状態」と呼ぶ。
【００２４】
図２に示す電子機器１の外観は開状態の例を示している。開状態は、第１筐体１０の側面１０ａと側２筐体２０の側面２０ａとが離れた状態である。開状態では、第１筐体１０と第２筐体２０とのそれぞれの内面が表れ、電子機器１は通常の動作を実行可能とすることが期待される。開状態は、第１筐体１０の内面と第２筐体２０の内面とがなす開き角θが所定の角度以上になった状態であり、典型的には１００〜１３０°程度となる。なお、開状態となる開き角θの範囲は、ヒンジ機構１５よって回動可能な角度の範囲等に応じて任意に定めることができる。
【００２５】
第１筐体１０の内面には、表示部１１０が設けられている。表示部１１０は、液晶ディスプレイ（ＬＣＤ：  ｌｉｑｕｉｄ  ｃｒｙｓｔａｌ  ｄｉｓｐｌａｙ）や有機ＥＬ(Ｅｌｅｃｔｒｏ  Ｌｕｍｉｎｅｓｃｅｎｃｅ）ディスプレイなどを含んで構成されている。また、第１筐体１０の内面のうち表示部１１０の周縁の領域に、撮像部１２０と近接センサ１３０とが設けられている。撮像部１２０及び近接センサ１３０は、表示部１１０の周縁の領域のうち側面２０ａ側に並んで配置されている。なお、近接センサ１３０は、表示部１１０の周縁の領域のうち側面２０ｃ側に配置されてもよい。
【００２６】
撮像部１２０は、開状態において、第１筐体１０の内面に対面する方向（前方）の所定の画角内の物体の像を撮像する。所定の画角とは、撮像部１２０が有する撮像素子と撮像素子の撮像面の前方に設けられた光学レンズとによって定める撮像画角である。
【００２７】
近接センサ１３０は、電子機器１の近傍に存在する物体（例えば、人物）を検出する。例えば、近接センサ１３０は、赤外線を発光する発光部と、発光した赤外線が物体の表面に反射して戻ってくる反射光を受光する受光部とを含んで構成される赤外線距離センサである。近接センサ１３０は、所定のサンプリング周期（例えば、１Ｈｚ）で、受光部が受光した光を検出し、受光した結像位置に基づいて距離を算出する三角測距方式や、発光から受光までの時間差等を距離に換算するＴｏＦ（Ｔｉｍｅ  ｏｆ  Ｆｌｉｇｈｔ）方式等を用いて、物体（例えば、人物）との距離に応じて検出信号を出力する。
【００２８】
なお、近接センサ１３０は、発光ダイオードが発光する赤外線を用いたセンサであってもよいし、発光ダイオードが発光する赤外線よりも波長帯域が狭い光線を発光する赤外線レーザを用いたセンサであってもよい。また、近接センサ１３０は、赤外線距離センサに限定されるものでなく、物体との距離を検出するセンサであれば、超音波センサまたはＵＷＢ（Ｕｌｔｒａ  Ｗｉｄｅ  Ｂａｎｄ）レーダを用いたセンサ等の他の方式を用いたセンサであってもよい。
【００２９】
第２筐体２０の内面には、キーボード１５１及びタッチパッド１５３が入力デバイスとして設けられている。なお、入力デバイスとして、キーボード１５１及びタッチパッド１５３に代えて、または加えて、タッチセンサが含まれてもよいし、マウスや外付けのキーボードが接続されてもよい。タッチセンサが設けられた構成の場合、タッチセンサが操作を受け付ける操作領域は、表示部１１０の表示面に対応する領域としていてもよい。また、入力デバイスには、音声が入力されるマイクが含まれてもよい。
【００３０】
なお、第１筐体１０と第２筐体２０とが閉じた閉状態では、第１筐体１０の内面に設けられている表示部１１０、撮像部１２０、及び近接センサ１３０は、第２筐体２０の内面に覆われて、機能を発揮できない状態である。第１筐体１０と第２筐体２０とが完全に閉じた状態では、開き角θは０°となる。
【００３１】
（近接センサの検出範囲）
ここで、近接センサ１３０の検出範囲について説明する。開状態において、第１筐体１０の内面に配置されている近接センサ１３０は、第１筐体１０の内面に対面する方向（前方）における物体（例えば、人物）を検出する。以下では、近接センサ１３０が検出可能な検出範囲のことを、センサ検出範囲と呼ぶこととする。センサ検出範囲は、近接センサ１３０が検出可能な角度を示す検出視野角ＦｏＶ（Ｆｉｅｌｄ  ｏｆ  Ｖｉｅｗ）と、近接センサ１３０が検出可能な最大距離を示す最大検出距離ＫＬｍとで定義することができる。
【００３２】
電子機器１は、センサ検出範囲を、電子機器１からの人物の離脱を検出する場合と、電子機器１への人物の接近を検出する場合とで、異なる検出範囲に設定する。以下では、電子機器１からの人物の離脱を検出する検出モードのことを、離脱検出モードと呼ぶ。また、電子機器１への人物の接近を検出する検出モードのことを、接近検出モードと呼ぶ。
【００３３】
離脱検出モードでは、電子機器１を使用している人物が常に電子機器１の正面近傍にきちんと留まっているとは限らず、体勢が自由に動きがちであることから、人物がある程度動いてもセンサ検出範囲から外れないように広めの範囲に設定することが好ましい。一方、接近検出モードでは、使用する人物以外の人物が電子機器１の前を単に横切ったときにセンサ検出範囲に入ってしまわないように、狭めの範囲に設定することが好ましい。よって、電子機器１では、離脱検出モードのセンサ検出範囲より接近検出モードのセンサ検出範囲の方が狭く設定されている。
【００３４】
図３〜図５を参照して、センサ検出範囲の設定の具体例について説明する。
図３は、センサ検出範囲の設定データの一例を示す図である。図４は、離脱検出モード時のセンサ検出範囲を示す図である。図５は、接近検出モード時のセンサ検出範囲を示す図である。図４に示すように、離脱検出モードのセンサ検出範囲を検出視野角Ｆｏｖ１と最大検出距離ＫＬｍ１とで定義する。一方、図４に示すように、接近検出モードのセンサ検出範囲を検出視野角Ｆｏｖ２と最大検出距離ＫＬｍ２とで定義する。
【００３５】
離脱検出モードの検出視野角Ｆｏｖ１より接近検出モードの検出視野角Ｆｏｖ２が狭い角度に設定されている。一例としては、図３に示すように離脱検出モードの検出視野角Ｆｏｖ１が１２０°に設定され、接近検出モードの検出視野角Ｆｏｖ２が３０°に設定されている。また、離脱検出モードの最大検出距離ＫＬｍ１より接近検出モードの最大検出距離ＫＬｍ２が短い距離に設定されている。一例としては、図３に示すように離脱検出モードの最大検出距離ＫＬｍ１が１２０ｃｍに設定され、接近検出モードの最大検出距離ＫＬｍ２が６０ｃｍに設定されている。
【００３６】
ここで、近接センサ１３０は、検出範囲としてスイープ（スキャン）する範囲を変更することにより検出視野角Ｆｏｖを変更する。例えば、近接センサ１３０は、赤外線距離センサである場合、物体の表面に反射して戻ってくる反射光を受光する受光部の受光エリアの範囲のうち検出に用いる範囲を変更することにより、検出視野角Ｆｏｖを変更する。受光エリアの全体の範囲を用いて検出するときが検出視野角Ｆｏｖが最大であり、受光エリアの範囲を狭くすることに応じて検出視野角Ｆｏｖを狭くすることができる。なお、検出視野角Ｆｏｖを狭くするほど近接センサ１３０における消費電力を抑えることができる場合がある。また、近接センサ１３０は、検出対象となる物体（例えば、人物）への出力（例えば、赤外線の発光量）を変更することにより最大検出距離ＫＬｍを変更する。近接センサ１３０は、赤外線の発光量を増加させることに応じて最大検出距離ＫＬｍを長くし、赤外線の発光量を減少させることに応じて最大検出距離ＫＬｍを短くする。最大検出距離ＫＬｍを短くするほど近接センサ１３０における消費電力を抑えることができる。
【００３７】
（電子機器のハードウェア構成）
図６は、本実施形態に係る電子機器１のハードウェアの構成例を示す概略ブロック図である。電子機器１は、表示部１１０、撮像部１２０、近接センサ１３０、入力デバイス１５０、ＥＣ（Ｅｍｂｅｄｄｅｄ  Ｃｏｎｔｒｏｌｌｅｒ）２００、システム処理部３００、通信部３５０、記憶部３６０、及び電源部４００を含んで構成される。表示部１１０は、システム処理部３００により実行されるシステム処理により生成された表示データを表示する。
【００３８】
撮像部１２０は、第１筐体１０の内面に対面する方向（前方）の所定の画角内の物体の像を撮像し、撮像した画像をシステム処理部３００へ出力する。例えば、電子機器１に接近した人物の顔面が撮像部１２０の画角内に含まれるとき、撮像部１２０は、人物の顔画像を撮像し、撮像した顔画像をシステム処理部３００へ出力する。撮像部１２０は、赤外線カメラであってもよいし、通常のカメラであってもよい。赤外線カメラは、撮像素子として赤外線センサを備えるカメラである。通常のカメラは、撮像素子として可視光線を受光する可視光センサを備えるカメラである。
【００３９】
近接センサ１３０は、第１筐体１０の内面に対面する方向（前方）に存在する物体（例えば、人物）を検出し、検出結果を示す検出信号をＥＣ２００へ出力する。
【００４０】
入力デバイス１５０は、ユーザの入力を受け付ける入力部であり、例えばキーボード１５１及びタッチパッド１５３を含んで構成されている。入力デバイス１５０は、キーボード１５１及びタッチパッド１５３に対する操作を受け付けることに応じて、操作内容を示す操作信号をＥＣ２００へ出力する。
【００４１】
電源部４００は、電子機器１の各部の動作状態に応じて各部へ電力を供給するための電源系統を介して電力を供給する。電源部４００は、ＤＣ（Ｄｉｒｅｃｔ  Ｃｕｒｒｅｎｔ）／ＤＣコンバータを備える。ＤＣ／ＤＣコンバータは、ＡＣ（Ａｌｔｅｒｎａｔｅ  Ｃｕｒｒｅｎｔ）／ＤＣアダプタもしくは電池パックから供給される直流電力の電圧を、各部で要求される電圧に変換する。ＤＣ／ＤＣコンバータで電圧が変換された電力が各電源系統を介して各部へ供給される。例えば、電源部４００は、ＥＣ２００から入力される各部の動作状態に応じて制御信号に基づいて各電源系統を介して各部に電力を供給する。
【００４２】
ＥＣ２００は、ＣＰＵ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）およびＩ／Ｏ（Ｉｎｐｕｔ／Ｏｕｔｐｕｔ）ロジック回路などを含んで構成されたマイクロコンピュータである。ＥＣ２００のＣＰＵは、自部のＲＯＭに予め記憶した制御プログラムを読み出し、読み出した制御プログラムを実行して、その機能を発揮する。ＥＣ２００は、システム処理部３００とは独立に動作し、システム処理部３００の動作を制御し、その動作状態を管理する。また、ＥＣ２００は、近接センサ１３０と、入力デバイス１５０と電源部４００に接続されている。
【００４３】
例えば、ＥＣ２００は、近接センサ１３０のセンサ検出範囲を制御する。ＥＣ２００は、近接センサ１３０から検出結果を示す検出信号を取得し、検出結果に基づいてシステム処理部３００の動作状態を制御する。また、ＥＣ２００は、電源部４００と通信を行うことにより、バッテリーの状態（残容量など）の情報を電源部４００から取得するとともに、電子機器１の各部の動作状態に応じた電力の供給を制御するための制御信号などを電源部４００へ出力する。また、ＥＣ２００は、入力デバイス１５０から操作信号を取得し、取得した操作信号のうちシステム処理部３００の処理に関連する操作信号についてはシステム処理部３００へ出力する。例えば、ＥＣ２００は、ＨＰＤ処理に関する機能構成として、人物検出部２１０、動作制御部２２０、及び検出モード制御部２３０を備えている。
【００４４】
人物検出部２１０は、所定のサンプリング周期（例えば、１ｋＨｚ）で近接センサ１３０が検出する検出結果に基づいて、電子機器１の前方に存在する物体（例えば、人物）を検出する。なお、以下の説明では、人物検出部２１０が物体（例えば、人物）を検出することを、単に、人物を検出するとも記載する。即ち、人物検出部２１０が人物を検出するとは、人物検出部２１０が人物を検出することも、人物以外の物体を検出することも含む。例えば、人物検出部２１０は、近接センサ１３０から取得する検出信号に基づいて、電子機器１の前方の所定の範囲内に存在する人物との距離を検出する。所定の範囲とは、人物検出部２１０が人物を検出する範囲として設定された人物検出範囲である。例えば、人物検出範囲は、近接センサ１３０のセンサ検出範囲に相当する。
【００４５】
例えば、人物検出部２１０は、近接センサ１３０から取得する検出信号に基づいて、人物検出範囲内に人物が存在するか否かを検出するとともに、人物が存在する場合には近接センサ１３０から人物までの距離を検出する。具体的には、人物検出部２１０は、近接センサ１３０から取得する人物との距離に応じた検出信号を取得した場合には、人物検出範囲内に人物が存在すること、及び人物までの距離を検出する。一方、人物検出部２１０は、近接センサ１３０から人物との距離に応じた検出信号を取得できなかった場合には、人物検出範囲内に人物が存在しないことを検出する。
【００４６】
また、人物検出部２１０は、人物検出範囲内に人物を検出しない状態から人物を検出した場合、電子機器１の前方に人物が接近したものと判定し、電子機器１への人物の接近を検出する。また、人物検出部２１０は、人物検出範囲内に人物を検出した後、継続して人物を検出している場合には、電子機器１の前方に人物が存在しているものと判定する。また、人物検出部２１０は、人物検出範囲内に人物を検出している状態から人物を検出しなくなった場合、電子機器１の前方に存在していた人物が離れたものと判定し、電子機器１からの人物の離脱を検出する。
【００４７】
動作制御部２２０は、人物検出部２１０により人物検出範囲内に人物が検出された場合、システム処理部３００によるシステム処理を起動させる。具体的には、動作制御部２２０は、人物検出部２１０が人物検出範囲内に人物を検出しない状態から人物を検出した場合（即ち、電子機器１への人物の接近を検出した場合）、システム処理を起動させる。より具体的には、動作制御部２２０は、システム処理部３００によるシステム処理を起動させる場合、電源部４００に対して、電子機器１の各部の動作に必要な電力を供給するための制御信号を出力する。その後、動作制御部２２０は、システム処理部３００にシステム処理の起動を指示するための起動信号を出力する。システム処理部３００は、起動信号を取得すると、システム処理を起動して通常動作状態へ遷移させる。
【００４８】
また、動作制御部２２０は、人物検出部２１０が人物検出範囲内に人物を継続して検出している場合、システム処理部３００によるシステム処理を待機状態に遷移させないように制限し、通常動作状態を継続させる。なお、動作制御部２２０は、人物検出部２１０が人物検出範囲内に人物を継続して検出している場合であっても、所定の条件（例えば、無操作の期間が予め設定された期間継続した場合）によって、通常動作状態から待機状態へ遷移させてもよい。
【００４９】
また、動作制御部２２０は、人物検出部２１０が人物検出範囲内に人物を検出している状態から人物を検出しなくなった場合（即ち、電子機器１からの人物の離脱を検出した場合）、システム処理部３００によるシステム処理を通常動作状態から待機状態に遷移させる。より具体的には、動作制御部２２０は、システム処理部３００にシステム処理を通常動作状態から待機状態へ遷移させる指示をするための待機信号を出力する。システム処理部３００は、待機信号を取得すると、システム処理を通常動作状態から待機状態へ遷移させる。その後、動作制御部２２０は、電源部４００に対して、待機状態では不要な電力の供給を停止させるための制御信号を出力する。
【００５０】
検出モード制御部２３０は、システム処理の動作状態に応じて、センサ検出範囲を設定する。例えば、検出モード制御部２３０は、システム処理の動作状態が通常動作状態である場合にはセンサ検出範囲を離脱検出モードの検出範囲（図３及び図４参照）に設定する。一方、検出モード制御部２３０は、システム処理の動作状態が待機状態である場合にはセンサ検出範囲を接近検出モードの検出範囲（図３及び図５参照）に設定する。
【００５１】
システム処理部３００は、ＣＰＵ３０２、ＧＰＵ（Ｇｒａｐｈｉｃ  Ｐｒｏｃｅｓｓｉｎｇ  Ｕｎｉｔ）３０４、メモリコントローラ３０６、Ｉ／Ｏ（Ｉｎｐｕｔ−Ｏｕｔｐｕｔ）コントローラ３０８、システムメモリ３１０、及び認証処理部３１２を含んで構成され、オペレーティングシステム（ＯＳ：Ｏｐｅｒａｔｉｎｇ  Ｓｙｓｔｅｍ）によるシステム処理によって、ＯＳ上で各種のアプリケーションソフトウェアの処理が実行可能である。ＣＰＵ３０２とＧＰＵ３０４をプロセッサと総称することがある。
【００５２】
前述したように、システムの動作状態として少なくとも通常動作状態（パワーオン状態）と待機状態との間を遷移可能である。待機状態には、スタンバイ状態、スリープ状態、ハイバネーション状態およびパワーオフ状態が含まれる。
スタンバイ状態は、プロセッサの処理能力を通常動作状態よりも低くし、動作中のシステムメモリ３１０の内容を保持しながら通信部３５０、記憶部３６０および表示部１１０など周辺デバイスの消費電力を通常動作状態よりも少なくする動作状態である。
スリープ状態は、システムメモリ３１０とＥＣ２００とその配下にあるデバイス以外のデバイスへの給電を停止し、プロセッサによるプログラムの実行を伴わない動作モードである。
ハイバネーション状態は、スリープ状態においてプロセッサ１１から即座にアクセス可能とする補助記憶装置にシステムメモリ３１０に記憶していた情報を全て退避させ、その後、システムメモリ３１０への給電をさらに停止するモードである。従って、ハイバネーション状態から起動処理を開始する際、ＣＰＵ３０２は、補助記憶装置に退避された情報をシステムメモリ３１０に記憶する。
パワーオフ状態は、ＥＣ２００とその配下にあるデバイス以外のデバイスへの給電を停止した状態である。
【００５３】
ＣＰＵ３０２は、システム処理の動作状態が待機状態であって、ＥＣ２００から起動信号が入力された場合、待機状態から通常動作状態に遷移させる。例えば、動作状態がスリープ状態、ハイバネーション状態またはパワーオフ状態であるとき、電源部４００から電力の供給を受け、かつＥＣ２００から起動信号が入力されると、ＣＰＵ３０２は、起動処理を開始する。ＣＰＵ３０２は、起動処理において、システムメモリ３１０、記憶部３６０などの最小限のデバイスの検出と初期化を行う（プリブート）。ＣＰＵ３０２は、記憶部３６０からシステムファームウェアをシステムメモリ３１０にロードし、通信部３５０、表示部１１０などその他のデバイスの検出と初期化を行う（ポスト処理）。初期化には、初期パラメータの設定などの処理が含まれる。なお、スリープ状態から通常動作状態への遷移（レジューム）においては、ポスト処理の一部が省略されることがある。ＣＰＵ３０２は、起動処理が完了した後、ＯＳによるシステム処理の実行を開始する（起動）。例えば、ＣＰＵ３０２は、動作状態がスタンバイ状態であって、ＥＣ２００から起動信号が入力されると、実行を停止していたソフトウェアの実行を再開する。
【００５４】
なお、ＣＰＵ３０２は、ＯＳによるシステム処理の実行を開始すると、ＯＳの利用を許可する前にログイン認証処理を実行し、ログイン認証処理でログインを許可するまで、以降のシステム処理の実行を一旦停止する。ログイン認証処理は、電子機器１を使用する人物が予め登録された正規のユーザであるか否かを判定するユーザ認証処理である。ログイン認証には、パスワード認証、顔認証、指紋認証などがある。ここでは、顔認証処理の場合を例に説明する。ＣＰＵ３０２は、撮像部１２０で撮像された人物の顔画像に基づく顔認証処理の実行を認証処理部３１２に指示する。ＣＰＵ３０２は、認証処理部３１２による認証結果が成功であった場合、ログインを許可し、一旦停止していたシステム処理の実行を再開する。一方、認証処理部３１２による認証結果が失敗であった場合、ログインを許可せず、システム処理の実行を停止したままにする。
【００５５】
ＧＰＵ３０４は、表示部１１０に接続されている。ＧＰＵ３０４は、ＣＰＵ３０２の制御に基づいて画像処理を実行して表示データを生成する。ＧＰＵ３０４は、生成した表示データを表示部１１０に出力する。なお、ＣＰＵ３０２とＧＰＵ３０４は、一体化して１個のコアとして形成されてもよいし、個々のコアとして形成されたＣＰＵ３０２とＧＰＵ３０４の相互間で負荷が分担されてもよい。プロセッサの数は、１個に限られず、複数個であってもよい。
【００５６】
メモリコントローラ３０６は、ＣＰＵ３０２とＧＰＵ３０４によるシステムメモリ３１０、記憶部３６０などからのデータの読出し、書込みを制御する。
Ｉ／Ｏコントローラ３０８は、通信部３５０、表示部１１０およびＥＣ２００からのデータの入出力を制御する。
システムメモリ３１０は、プロセッサの実行プログラムの読み込み領域ならびに処理データを書き込む作業領域として用いられる。
【００５７】
認証処理部３１２は、ＣＰＵ３０２から顔認証処理の実行の指示を受け取ると、撮像部１２０で撮像された人物の顔画像に基づいて顔認証処理を実行する。撮像部１２０で撮像された人物の顔画像とは、電子機器１の前方から接近する人物の顔画像である。顔認証処理は、顔検出処理と顔照合処理とを含む。顔検出処理は、撮像部１２０から入力される画像信号から顔が表されている領域である顔領域を定める処理である。顔照合処理は、顔領域から顔の特徴を表す複数の顔特徴点（例えば、口、目、鼻、など）の位置を求め、顔領域の位置と大きさがそれぞれ所定の位置と大きさとなるように正規化し、正規化した顔特徴点の分布を画像特徴量として定める過程と、定めた画像特徴量と所定の人物の顔画像に係る画像特徴量と照合し、照合に成功した画像特徴量に係る人物を特定する過程を有する。記憶部３６０には、アカウント毎に、そのアカウントでログインする正規ユーザとしての認証情報が設定されている。認証情報には、そのユーザの顔画像の画像特徴量が含まれる。認証情報には、さらにそのユーザを示すユーザ情報を対応付けて記憶される。ユーザ情報は、例えば、ユーザ名、ユーザＩＤ（Ｉｄｅｎｔｉｆｉｅｒ）、など電子機器１のユーザを特定できる情報であればよい。
【００５８】
認証処理部３１２は、撮像部１２０で撮像された人物の顔画像と、設定されているユーザの認証情報とを照合した結果が一致と判断できる場合に顔認証に成功したと判定する。一方、認証処理部３１２は、例えば、電子機器１を使用する人物以外の人物が前を単に横切った場合には、撮像部１２０で撮像された画像から顔領域が検出されない。認証処理部３１２は、顔認証の成否を示す認証情報をＣＰＵ３０２及びＥＣ２００に出力する。
【００５９】
通信部３５０は、無線または有線による通信ネットワークを介して他の機器と通信可能に接続し、各種のデータの送信および受信を行う。例えば、通信部３５０は、イーサネット（登録商標）等の有線ＬＡＮインターフェースやＷｉ−Ｆｉ（登録商標）等の無線ＬＡＮインターフェース等を含んで構成されている。なお、通信部３５０は、ＵＳＢ（Ｕｎｉｖｅｒｓａｌ  Ｓｅｒｉａｌ  Ｂｕｓ）インターフェースやＢｌｕｅｔｏｏｔｈ（登録商標）インターフェースを含んで構成されてもよい。
【００６０】
記憶部３６０は、ＨＤＤ（Ｈａｒｄ  Ｄｉｓｋ  Ｄｒｉｖｅ）、セキュアＮＶＲＡＭ（Ｎｏｎ−Ｖｏｌａｔｉｌｅ  ＲＡＭ）、ＲＯＭ（Ｒｅａｄ  Ｏｎｌｙ  Ｍｅｍｏｒｙ）などの記憶媒体を含んで構成される。ＨＤＤは、ＯＳ、デバイスドライバ、アプリケーションなどの各種のプログラム、その他、プログラムの動作により取得した各種のデータを記憶する。セキュアＮＶＲＡＭには、各ユーザの認証に用いる認証データを記憶する。認証データには、各ユーザの識別情報と、認証情報とを対応付けて記憶する。セキュアＮＶＲＡＭには、Ｉ／Ｏコントローラ３０８から経由したＯＳの動作環境からはアクセスできないように保護（ロック）される。但し、ＣＰＵ３０２のパワーオン、リセット時にロックを解除し、プリブートの終了時にシステムファームウェアを実行してロックを開始する。
【００６１】
（処理の動作）
次に、本実施形態に係る処理の動作について説明する。
まず、電子機器１が人物の接近を検出したことによりシステム処理を起動する起動処理の動作について説明する。図７は、本実施形態に係る起動制御の一例を示すフローチャートである。ここでは、電子機器１は、開状態で机の上等に置かれており、待機状態であるものとする。
【００６２】
（ステップＳ１０１）人物検出部２１０は、近接センサ１３０から取得する検出信号に基づいて、電子機器１への人物の接近を検出したか否かを判定する。人物検出部２１０は、人物検出範囲内に人物を検出しない状態から人物を検出した場合、電子機器１への人物の接近を検出したと判定する。また、人物検出部２１０は、人物検出範囲内に人物を検出しない状態のままである場合、電子機器１への人物の接近を検出していないと判定する。そして、人物検出部２１０は、電子機器１への人物の接近を検出していないと判定した場合（ＮＯ）、再びステップＳ１０１の処理を行う。一方、人物検出部２１０は、電子機器１への人物の接近を検出したと判定した場合（ＹＥＳ）、ステップＳ１０３の処理に進む。
【００６３】
（ステップＳ１０３）動作制御部２２０は、システム処理部３００によるシステム処理を起動させる。具体的には、動作制御部２２０は、システム処理部３００によるシステム処理を起動させる場合、電源部４００に対して、電子機器１の各部の動作に必要な電力を供給するための制御信号を出力する。また、動作制御部２２０は、ＣＰＵ３０２にシステム処理の起動を指示するための起動信号を出力する。ＣＰＵ３０２は、起動信号を取得すると、起動処理を開始する。そして、ステップＳ１０５の処理に進む。
【００６４】
（ステップＳ１０５）ＣＰＵ３０２は、ログイン認証を実行する。例えば、ＣＰＵ３０２は、撮像部１２０で撮像された人物の顔画像を用いた顔認証によるログイン認証処理を実行する。具体的には、ＣＰＵ３０２は、撮像部１２０で撮像された人物の顔画像に基づく顔認証処理の実行を認証処理部３１２に指示し、認証処理部３１２から認証結果を取得する。そして、ステップＳ１０７の処理に進む。
【００６５】
（ステップＳ１０７）ＣＰＵ３０２は、認証結果が成功であるか否かを判定する。ＣＰＵ３０２は、認証結果が成功の場合には（ＹＥＳ）、ステップＳ１０９の処理に進む。一方、ＣＰＵ３０２は、認証結果が失敗の場合には（ＮＯ）、ステップＳ１１３の処理に進む。
【００６６】
（ステップＳ１０９）ＣＰＵ３０２は、認証結果が成功の場合にはログイン成功である旨を通知し（例えば、表示部１１０に表示）、起動処理を継続する。そして、ステップＳ１１１の処理に進む。
（ステップＳ１１１）ＣＰＵ３０２は、起動処理を終了し、通常動作状態に遷移する。
【００６７】
（ステップＳ１１３）認証結果が失敗の場合にはログイン失敗である旨を通知し（例えば、表示部１１０に表示）、ステップＳ１０５の認証処理に戻る。なお、ＣＰＵ３０２は、連続して所定の回数の認証処理に失敗した場合には、認証処理を中止し、ログイン認証処理の実行が不可の状態に遷移させてもよい。
【００６８】
次に、電子機器１からの人物の離脱を検出したことによりシステム処理を通常動作状態から待機状態へ遷移させる待機状態遷移処理の動作について説明する。
図８は、本実施形態に係る待機状態遷移処理の一例を示すフローチャートである。ここでは、電子機器１は、開状態で机の上等に置かれており、通常動作状態であるものとする。
【００６９】
（ステップＳ１５１）人物検出部２１０は、近接センサ１３０から取得する検出信号に基づいて、電子機器１からの人物の離脱を検出したか否かを判定する。例えば、人物検出部２１０は、人物検出範囲内に人物を検出している状態から人物を検出しなくなった場合、電子機器１からの人物の離脱を検出したと判定する。一方、人物検出部２１０は、人物検出範囲内に人物を検出している状態のままである場合、電子機器１からの人物の離脱を検出していないと判定する。そして、人物検出部２１０は、電子機器１からの人物の離脱を検出していない場合（ＮＯ）、再びステップＳ１５１の処理を行う。一方、人物検出部２１０は、電子機器１からの人物の離脱を検出した場合（ＹＥＳ）、ステップＳ１５３の処理に進む。
【００７０】
（ステップＳ１５３）動作制御部２２０は、システム処理部３００によるシステム処理を通常動作状態から待機状態へ遷移させる。具体的には、動作制御部２２０は、ＣＰＵ３０２にシステム処理を待機状態へ遷移させる指示をするための待機信号を出力する。ＣＰＵ３０２は、待機信号を取得すると、通常動作状態から待機状態へ遷移させる。また、動作制御部２２０は、電源部４００に対して、待機状態では不要な電力の供給を停止させるための制御信号を出力する。
【００７１】
次に、近接センサ１３０のセンサ検出範囲を変更するセンサ検出範囲制御処理の動作について説明する。
図９は、本実施形態に係るセンサ検出範囲制御処理の一例を示すフローチャートである。
【００７２】
（ステップＳ２０１）検出モード制御部２３０は、システム処理部３００からシステム処理の動作状態を示す情報を取得し、システム処理の動作状態が通常動作状態であるか、或いは待機状態であるかを判定する。検出モード制御部２３０は、通常動作状態であると判定した場合、ステップＳ２０３の処理に進む。一方、検出モード制御部２３０は、待機状態であると判定した場合、ステップＳ２０５の処理に進む。
【００７３】
（ステップＳ２０３）検出モード制御部２３０は、通常動作状態である場合にはセンサ検出範囲を離脱検出モードの検出範囲（図３及び図４参照）に設定する。これにより、電子機器１は、人物が電子機器１を使用中のため電子機器１が通常動作状態である場合には、離脱検出モードの広いセンサ検出範囲で人物の離脱を検出す。
【００７４】
（ステップＳ２０５）検出モード制御部２３０は、待機状態である場合にはセンサ検出範囲を接近検出モードの検出範囲（図３及び図５参照）に設定する。これにより、電子機器１は、電子機器１の近傍に人物が不在のため電子機器１が待機状態になっている場合には、接近検出モードの狭いセンサ検出範囲で人物の近接を検出する。
【００７５】
以上説明してきたように、本実施形態に係る電子機器１において、システム処理部３００（処理部の一例）は、システム処理を実行する。また、人物検出部２１０（検出部の一例）は、人物検出範囲（所定の検出範囲）内に存在する物体（例えば、人物）を検出する。また、動作制御部２２０は、人物検出部２１０により人物検出範囲内に物体（例えば、人物）が検出された場合、システム処理部３００によるシステム処理の動作を活性化させる。そして、検出モード制御部２３０（検出範囲制御部の一例）は、システム処理部３３０によるシステム処理の動作状態に応じて、人物検出範囲を設定する。例えば、人物検出範囲は、近接センサ１３０のセンサ検出範囲に相当する。
【００７６】
これにより、電子機器１は、システム処理の動作状態に応じて人物検出範囲を設定するため、使用する人物の接近及び離脱をより確実に検出することができる。
【００７７】
例えば、検出モード制御部２３０は、システム処理の動作状態が通常動作状態（第１動作状態の一例）である場合には人物検出範囲を離脱検出モードの検出範囲（第１検出範囲の一例）に設定する。また、検出モード制御部２３０は、システム処理の動作状態が通常動作状態よりもシステム処理の少なくとも一部が制限された待機状態（第２動作状態の一例）である場合には人物検出範囲を離脱検出モードの検出範囲より狭い近接検出モードの検出範囲（第２検出範囲の一例）に設定する。
【００７８】
これにより、電子機器１は、システム処理が通常動作状態である場合（即ち、人物の離脱を検出する場合）には比較的に広い検出範囲で人物を検出するため、人物の体勢がある程度動いただけで検出範囲から外れてしまうことにより待機状態へ遷移してしまうことを抑制することができる。また、電子機器１は、システム処理が待機状態である場合（即ち、人物の近接を検出する場合）には比較的に狭い検出範囲で人物を検出するため、使用する人物以外の人物が電子機器１の前を単に横切ったときに検出範囲に入ってしまうことにより起動してしまうことを抑制することができる。よって、電子機器１は、使用する人物の接近及び離脱をより確実に検出することができる。
【００７９】
例えば、検出モード制御部２３０は、離脱検出モードの検出範囲より近接検出モードの検出範囲の方が、検出視野角Ｆｏｖが狭くなるように制御する。これにより、電子機器１は、人物の近接を検出する場合には、比較的に狭い検出視野角で人物を検出するため、使用する人物以外の人物が電子機器１の前を単に横切ったときに検出範囲に入ってしまうことにより起動してしまうことを抑制することができる。
【００８０】
また、検出モード制御部２３０は、離脱検出モードの検出範囲より近接検出モードの検出範囲の方が、最大検出距離ＫＬｍが短くなるように制御してもよい。これにより、電子機器１は、人物の近接を検出する場合には、比較的に短い検出距離内で人物を検出するため、使用する人物以外の人物が電子機器１の前を単に横切ったときに検出範囲に入ってしまうことにより起動してしまうことを抑制することができる。
【００８１】
なお、検出モード制御部２３０は、システム処理の動作状態に応じて、検出視野角Ｆｏｖと最大検出距離ＫＬｍとの両方を制御してもよいし、いずれか一方を制御してもよい。
【００８２】
＜第２の実施形態＞
次に、本発明の第２の実施形態について説明する。
本実施形態に係る電子機器１の基本的な構成は、第１の実施形態と同様であるため、本実施形態において特徴的な処理について説明する。第１の実施形態では、システム処理の動作状態が通常動作状態であるか待機状態であるかによって、センサ検出範囲を制御したが、本実施形態では、物体（例えば、人物）が検出されている状態であるか否かによって、センサ検出範囲を制御する例を説明する。
【００８３】
人物が検出されている状態とは、人物が電子機器１を使用中のため電子機器１が通常動作状態である。よって、電子機器１は、人物が検出されている状態では、人物の離脱を検出することになる。一方、人物が検出されていない状態とは、電子機器１の近傍に人物が不在のため電子機器１が待機状態である。よって、電子機器１は、人物が検出されていない状態では、人物の接近を検出することになる。
【００８４】
検出モード制御部２３０は、人物検出部２１０による検出状態に応じて、センサ検出範囲を設定する。例えば、検出モード制御部２３０は、人物検出部２１０による検出状態が人物が検出されている状態である場合にはセンサ検出範囲を離脱検出モードの検出範囲（図３及び図４参照）に設定する。一方、検出モード制御部２３０は、人物検出部２１０による検出状態が人物が検出されていない状態である場合にはセンサ検出範囲を接近検出モードの検出範囲（図３及び図５参照）に設定する。
【００８５】
図１０は、本実施形態に係るセンサ検出範囲制御処理の一例を示すフローチャートである。
（ステップＳ３０１）検出モード制御部２３０は、人物検出部２１０から人物の検出状態を示す情報を取得し、人物検出部２１０による検出状態が人物が検出されている状態であるか、或いは人物が検出されていない状態であるかを判定する。検出モード制御部２３０は、人物が検出されている状態（人物検出）であると判定した場合、ステップＳ３０３の処理に進む。一方、検出モード制御部２３０は、人物が検出されていない状態であると判定した場合、ステップＳ３０５の処理に進む。
【００８６】
（ステップＳ３０３）検出モード制御部２３０は、人物が検出されている状態である場合にはセンサ検出範囲を離脱検出モードの検出範囲（図３及び図４参照）に設定する。これにより、電子機器１は、人物が電子機器１を使用中のため人物が検出されている状態である場合には、離脱検出モードの広いセンサ検出範囲で人物の離脱を検出す。
【００８７】
（ステップＳ３０５）検出モード制御部２３０は、人物が検出されていない状態である場合にはセンサ検出範囲を接近検出モードの検出範囲（図３及び図５参照）に設定する。これにより、電子機器１は、電子機器１の近傍に人物が不在のため人物が検出されていない状態になっている場合には、接近検出モードの狭いセンサ検出範囲で人物の近接を検出する。
【００８８】
このように、本実施形態に係る電子機器１においては、検出モード制御部２３０（検出範囲制御部の一例）は、人物検出部２１０による物体（例えば、人物）の検出状態に応じて、人物検出範囲を設定する。例えば、人物検出範囲は、近接センサ１３０のセンサ検出範囲に相当する。これにより、電子機器１は、人物の検出状態に応じて人物検出範囲を設定するため、使用する人物の接近及び離脱をより確実に検出することができる。
【００８９】
例えば、検出モード制御部２３０は、人物検出部２１０による検出状態が物体（例えば、人物）が検出されている状態である場合には人物検出範囲を離脱検出モードの検出範囲（第１検出範囲の一例）に設定する。また、検出モード制御部２３０は、人物検出部２１０による検出状態が前記物体（例えば、人物）が検出されていない状態である場合には人物検出範囲を離脱検出モードの検出範囲より狭い近接検出モードの検出範囲（第２検出範囲の一例）に設定する。
【００９０】
これにより、電子機器１は、人物が検出されている状態である場合（即ち、人物の離脱を検出する場合）には比較的に広い検出範囲で人物を検出するため、人物の体勢がある程度動いただけで検出範囲から外れてしまうことにより待機状態へ遷移してしまうことを抑制することができる。また、電子機器１は、人物が検出されていない状態である場合（即ち、人物の近接を検出する場合）には比較的に狭い検出範囲で人物を検出するため、使用する人物以外の人物が電子機器１の前を単に横切ったときに検出範囲に入ってしまうことにより起動してしまうことを抑制することができる。よって、電子機器１は、使用する人物の接近及び離脱をより確実に検出することができる。
【００９１】
例えば、検出モード制御部２３０は、離脱検出モードの検出範囲より近接検出モードの検出範囲の方が、検出視野角Ｆｏｖが狭くなるように制御する。これにより、電子機器１は、人物の近接を検出する場合には、比較的に狭い検出視野角で人物を検出するため、使用する人物以外の人物が電子機器１の前を単に横切ったときに検出範囲に入ってしまうことにより起動してしまうことを抑制することができる。
【００９２】
また、検出モード制御部２３０は、離脱検出モードの検出範囲より近接検出モードの検出範囲の方が、最大検出距離ＫＬｍが短くなるように制御してもよい。これにより、電子機器１は、人物の近接を検出する場合には、比較的に短い検出距離内で人物を検出するため、使用する人物以外の人物が電子機器１の前を単に横切ったときに検出範囲に入ってしまうことにより起動してしまうことを抑制することができる。
【００９３】
なお、検出モード制御部２３０は、人物検出部２１０による検出状態に応じて、検出視野角Ｆｏｖと最大検出距離ＫＬｍとの両方を制御してもよいし、いずれか一方を制御してもよい。
【００９４】
以上、この発明の実施形態について図面を参照して詳述してきたが、具体的な構成は上述の実施形態に限られるものではなく、この発明の要旨を逸脱しない範囲の設計等も含まれる。上述の実施形態において説明した各構成は、任意に組み合わせることができる。
【００９５】
また、上記実施形態では、人物検出部２１０が最大検出距離ＫＬｍまでの人物検出範囲で検出する例を説明したが、人物検出範囲の最短距離側について制限を設けてもよい。例えば、人物検出部２１０は、近接センサ１３０が検出する物体（例えば、人物）のうち、予め設定された距離（例えば、１０ｃｍ）以上最大検出距離（ＫＬｍ１、ＫＬｍ２）以下の範囲で検出された物体（例えば、人物）のみ検出対象としてもよい。これにより、電子機器１は、正規のユーザによる使用状況とは異なる極端に近すぎる物体（例えば、人物）を、使用する人物の接近（使用する意図を持って近づいてきた人物、即ちユーザ）として検出しないようにすることができる。
【００９６】
また、上記実施形態では、人物の接近を検出する場合と離脱を検出する場合とによって近接センサ１３０のセンサ検出範囲を変更する例を説明したが、センサ検出範囲をせずに、センサ検出範囲に対して人物検出部２１０が検出する人物検出範囲を変更してもよい。この場合、接近検出モードと紀脱検出モードとで近接センサ１３０のセンサ検出範囲が変わらないことにより検出に消費する電力も変わらない。そのため、待機状態になったときの検出に消費する電力の省電効果はなくなるが、接近と離脱のそれぞれの検出精度については第１の実施形態と同様であり、使用する人物の接近及び離脱をより確実に検出することができる。
【００９７】
また、上記実施形態では、人物の接近を検出する場合と離脱を検出する場合とによって人物の検出範囲を変更する例を説明したが、検出範囲の変更に代えて、または加えて、検出する周期（サンプリング周期）を変更する構成としてもよい。例えば、検出モード制御部２３０は、接近検出モードのサンプリング周期よりも離脱検出モードのサンプリング周期の方を長い周期に設定してもよい。これにより、電子機器１は、人物の接近については素早く検出して起動させることができるとともに、人物の離脱については素早く待機状態へ遷移させる必要性が起動時よりも低いため、検出に必要な電力の消費を抑えることができる。
【００９８】
また、上記実施形態では、システム処理部３００と独立に動作するＥＣ２００は、センサハブ、チップセット、などのいずれの処理部であってもよく、ＥＣ２００以外の処理部がＥＣ２００に代えて上述の処理を実行してもよい。このＥＣ２００等の処理部と近接センサ１３０の電力消費量の合計は、通例、システム処理部３００の電力消費量よりも格段に少ない。
【００９９】
なお、上述した待機状態には、処理中の内容が視認できないように予め設定された画像（例えば、ロック画面用の画像）が表示部１１０に表示されている状態（所謂、画面ロックの状態）が含まれてもよい。また、システム処理の動作を活性化させるとは、システム処理の起動に限られず、表示部１１０の画面ロックの解除、表示部１１０への表示の開始もしくは既に表示させている表示画面の輝度の増加、所定のアプリケーションプログラムの実行開始、などであってもよい。
【０１００】
なお、上述した電子機器１は、内部にコンピュータシステムを有している。そして、上述した電子機器１が備える各構成の機能を実現するためのプログラムをコンピュータ読み取り可能な記録媒体に記録して、この記録媒体に記録されたプログラムをコンピュータシステムに読み込ませ、実行することにより上述した電子機器１が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１０１】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に電子機器１が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１０２】
また、上述した実施形態における電子機器１が備える各機能の一部、または全部を、ＬＳＩ（Ｌａｒｇｅ  Ｓｃａｌｅ  Ｉｎｔｅｇｒａｔｉｏｎ）等の集積回路として実現してもよい。各機能は個別にプロセッサ化してもよいし、一部、又は全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１０３】
また、上記実施形態の電子機器１は、ＰＣ、タブレット端末装置、スマートフォンなどに限られるものではなく、家庭用電気製品や業務用電気製品にも適用できる。家庭用電気製品としては、テレビや、表示部が備えられた冷蔵庫、電子レンジ等に適用できる。例えば、人物の接近または離脱に応じて、テレビの画面のＯＮ／ＯＦＦを制御すること、或いは、冷蔵庫や電子レンジ等の表示部の画面のＯＮ／ＯＦＦを制御することができる。また、業務用電気製品としては、自動販売機や、マルチメディア端末等に適用できる。例えば、人物の接近または離脱に応じて、自動販売機の照明のＯＮ／ＯＦＦなど、或いは、マルチメディア端末の表示部の画面のＯＮ／ＯＦＦなどのように動作状態を制御することができる。
【符号の説明】
【０１０４】
１  電子機器、１０  第１筐体、２０  第２筐体、１５  ヒンジ機構、１１０  表示部、１２０  撮像部、１３０  近接センサ、１５０  入力デバイス、１５１  キーボード、１５３  タッチパッド、２００  ＥＣ、２１０  人物検出部、２２０  動作制御部、２３０  検出モード制御部、３００  システム処理部、３０２  ＣＰＵ、３０４  ＧＰＵ、３０６  メモリコントローラ、３０８  Ｉ／Ｏコントローラ、３１０  システムメモリ、３１２  認証処理部、３５０  通信部、３６０  記憶部、４００  電源部
【図１】
2020102154.tif 000003
【図２】
2020102154.tif 000004
【図３】
2020102154.tif 000005
【図４】
2020102154.tif 000006
【図５】
2020102154.tif 000007
【図６】
2020102154.tif 000008
【図７】
2020102154.tif 000009
【図８】
2020102154.tif 000010
【図９】
2020102154.tif 000011
【図１０】
2020102154.tif 000012
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
システム処理を実行する処理部と、
所定の検出範囲内に存在する物体を検出する検出部と、
前記検出部により前記所定の範囲内に前記物体が検出された場合、前記処理部の動作を活性化させる動作制御部と、
前記システム処理の動作状態に応じて、前記システム処理の動作状態が第１動作状態である場合には前記所定の検出範囲を第１検出範囲に設定し、前記第１動作状態よりも前記システム処理の少なくとも一部が制限された第２動作状態である場合には前記所定の検出範囲を前記第１検出範囲より狭い第２検出範囲に設定する検出範囲制御部と、
を備え、
前記検出範囲制御部は、
前記第１検出範囲より前記第２検出範囲の方が、検出する視野角が狭くなるように制御する、
電子機器。
【請求項２】
システム処理を実行する処理部と、
所定の検出範囲内に存在する物体を検出する検出部と、
前記検出部により前記所定の範囲内に前記物体が検出された場合、前記処理部の動作を活性化させる動作制御部と、
前記検出部による前記物体の検出状態に応じて、前記検出部による検出状態が前記物体が検出されている状態である場合には前記所定の検出範囲を第１検出範囲に設定し、前記検出部による検出状態が前記物体が検出されていない状態である場合には前記所定の検出範囲を前記第１検出範囲より狭い第２検出範囲に設定する検出範囲制御部と、
を備え、
前記検出範囲制御部は、
前記第１検出範囲より前記第２検出範囲の方が、検出する視野角が狭くなるように制御する、
電子機器。
【請求項３】
前記検出範囲制御部は、
前記第１検出範囲より前記第２検出範囲の方が、検出する距離が短くなるように制御する、
請求項１または請求項２に記載の電子機器。
【請求項４】
前記処理部が実行するシステム処理に基づく表示情報を表示する表示部と、
前記システム処理の利用を許可するための認証処理を実行する認証処理部と、
を備え、
前記動作制御部は、
前記検出部による検出結果に基づいて前記処理部の動作を第２動作状態から第１動作状態へ活性化させる場合、前記認証処理部による認証処理の結果に基づいて前記システム処理の利用が許可されることを条件として前記第１動作状態へ活性化させ、
前記第２動作状態は、前記第１動作状態よりも前記システム処理の少なくとも一部が制限された動作状態であって、少なくとも前記表示部の表示がＯＦＦされた動作状態である、
請求項１から請求項３のいずれか一項に記載の電子機器。
【請求項５】
システム処理を実行する処理部を備えた電子機器における制御方法であって、
検出部が、所定の検出範囲内に存在する物体を検出するステップと、
動作制御部が、前記所定の範囲内に前記物体が検出された場合、前記処理部の動作を活性化させるステップと、
検出範囲制御部が、前記システム処理の動作状態に応じて、前記システム処理の動作状態が第１動作状態である場合には前記所定の検出範囲を第１検出範囲に設定し、前記第１動作状態よりも前記システム処理の少なくとも一部が制限された第２動作状態である場合には前記所定の検出範囲を前記第１検出範囲より検出する視野角が狭い第２検出範囲に設定するステップと、
を有する制御方法。
【請求項６】
システム処理を実行する処理部を備えた電子機器における制御方法であって、
検出部が、所定の検出範囲内に存在する物体を検出するステップと、
動作制御部が、前記所定の範囲内に前記物体が検出された場合、前記処理部の動作を活性化させるステップと、
検出範囲制御部が、前記検出部による前記物体の検出状態に応じて、前記検出部による検出状態が前記物体が検出されている状態である場合には前記所定の検出範囲を第１検出範囲に設定し、前記検出部による検出状態が前記物体が検出されていない状態である場合には前記所定の検出範囲を前記第１検出範囲より検出する視野角が狭い第２検出範囲に設定するステップと、
を有する制御方法。
【請求項７】
システム処理を実行する処理部を備えた電子機器としてのコンピュータに、
所定の検出範囲内に存在する物体を検出するステップと、
前記所定の範囲内に前記物体が検出された場合、前記処理部の動作を活性化させるステップと、
前記システム処理の動作状態に応じて、前記システム処理の動作状態が第１動作状態である場合には前記所定の検出範囲を第１検出範囲に設定し、前記第１動作状態よりも前記システム処理の少なくとも一部が制限された第２動作状態である場合には前記所定の検出範囲を前記第１検出範囲より検出する視野角が狭い第２検出範囲に設定するステップと、
を実行させるためのプログラム。
【請求項８】
システム処理を実行する処理部を備えた電子機器としてのコンピュータに、
所定の検出範囲内に存在する物体を検出するステップと、
前記所定の範囲内に前記物体が検出された場合、前記処理部の動作を活性化させるステップと、
前記物体の検出状態に応じて、当該検出状態が前記物体が検出されている状態である場合には前記所定の検出範囲を第１検出範囲に設定し、当該検出状態が前記物体が検出されていない状態である場合には前記所定の検出範囲を前記第１検出範囲より検出する視野角が狭い第２検出範囲に設定するステップと、
を実行させるためのプログラム。